(57)【要約】【目的】第一の目的は、スラックスを脱がないで尿処理・大便処理を行うことができるオストメイト用スラックスを提供すること。第二の目的は、尿処理については、便用個室に入らなくても尿用便器で立ち小便の感覚で尿処理を可能とするオストメイト用スラックスを提供すること。【解決手段】オストメイト用スラックス１は、オストメイトがウロストミー２にウロストミー用パウチ３を取り付けた状態で着用するのに適しており、スラックス１を構成する部分のうちスラックス１の着用時にウロストミー用パウチ３に重なる部分に形成されたウロストミー用スリット４と、ウロストミー用スリット４を開閉自在に封止するウロストミー用ファスナー５とを備える。【選択図】図１
0003127215.tif 000002
【実用新案登録請求の範囲】
【請求項１】
オストメイトがウロストミーにウロストミー用パウチを取り付けた状態で着用するのに適したスラックスであって、
前記スラックスを構成する部分のうち前記スラックスの着用時に前記ウロストミー用パウチに重なる部分に形成されたウロストミー用スリットと、
前記ウロストミー用スリットを開閉自在に封止するウロストミー用スリット封止手段とを備えたことを特徴とするオストメイト用スラックス。
【請求項２】
オストメイトがコロストミーにコロストミー用パウチを取り付けた状態で着用するのに適したスラックスであって、
前記スラックスを構成する部分のうち前記スラックスの着用時に前記コロストミー用パウチに重なる部分に、前記スラックスのウエストベルトの分離部分から始まって下方に向かって形成されたコロストミー用スリットと、
前記コロストミー用スリットを開閉自在に封止するコロストミー用スリット封止手段と、
前記スラックスのウエストベルトの前身頃側の裏側に、前記コロストミー用スリットを跨いで取り付けられる、前記スラックスのずり落ちを防止するベルト状のスラックス支持手段とを備えたことを特徴とするオストメイト用スラックス。
【請求項３】
オストメイトがイレオストミーにイレオストミー用パウチを取り付けた状態で着用するのに適したスラックスであって、
前記スラックスを構成する部分のうち前記スラックスの着用時に前記イレオストミー用パウチに重なる部分に、前記スラックスのウエストベルトの分離部分から始まって下方に向かって形成されたイレオストミー用スリットと、
前記イレオストミー用スリットを開閉自在に封止するイレオストミー用スリット封止手段と、
前記スラックスのウエストベルトの前身頃側の裏側に、前記イレオストミー用スリットを跨いで取り付けられる、前記スラックスのずり落ちを防止するベルト状のスラックス支持手段とを備えたことを特徴とするオストメイト用スラックス。
【請求項４】
オストメイトがウロストミーにウロストミー用パウチを取り付け、更に、コロストミーにコロストミー用パウチを取り付けた状態で着用するのに適したスラックスであって、
前記スラックスを構成する部分のうち前記スラックスの着用時に前記ウロストミー用パウチに重なる部分に形成されたウロストミー用スリットと、
前記ウロストミー用スリットを開閉自在に封止するウロストミー用スリット封止手段と、
前記スラックスを構成する部分のうち前記スラックスの着用時に前記コロストミー用パウチに重なる部分に、前記スラックスのウエストベルトの分離部分から始まって下方に向かって形成されたコロストミー用スリットと、
前記コロストミー用スリットを開閉自在に封止するコロストミー用スリット封止手段と、
前記スラックスのウエストベルトの前身頃側の裏側に、前記コロストミー用スリットを跨いで取り付けられる、前記スラックスのずり落ちを防止する、ベルト状のスラックス支持手段とを備えたことを特徴とするオストメイト用スラックス。
【請求項５】
前記支持手段の少なくとも一の端部が脱着自在であることを特徴とする請求項２から４のいずれかに記載のオストメイト用スラックス。
【考案の詳細な説明】
【技術分野】
【０００１】
本考案は、オストメイト用スラックスに関し、更に詳しくは、尿処理や大便処理を簡単に短時間で行うことができるオストメイト用スラックスに関する。
【背景技術】
【０００２】
病気や障害が原因で、腹部に孔を空けて人工的に作られた人工膀胱や人工肛門を持っている「オストメイト」と称される多くの人々がいる。腹部に取り付けられる人工膀胱や人工肛門は、総称して「ストーマ」と称される。そのうち、人工膀胱は、「ウロストミー」と称され、人工肛門は、人工結腸肛門が「コロストミー」と称され、回腸人工肛門が「イレオストミー」と称されている。
ストーマは、排泄の制御ができないため、オストメイトは、排泄物をためるための「パウチ」と称される袋をストーマに取り付けて垂れ流される尿や大便を溜めて、パウチがほぼ一杯になったところで尿処理・大便処理を行う。
【０００３】
オストメイトが通常の人（オストメイトではない人）と同じ下半身下着を着けると、パウチの上から下半身下着を着けることになるため、尿処理・大便処理を行うときには、下半身下着をいちいち脱いで行うことが必要になる。そこで、特許文献１から３に示したように、下半身下着をいちいち脱がなくても尿処理・大便処理ができるようにした種々の下半身下着が提案されている。
【０００４】
【特許文献１】特開平１１−１２３２０３
【特許文献２】実用新案登録第３０８０１２３号
【特許文献３】特許第３７５４４１１号
【考案の開示】
【考案が解決しようとする課題】
【０００５】
しかしながら、オストメイトは、特許文献１から３に開示された下半身下着を着けても、スラックスについては健康な人が着るものと同じものを着るため、尿処理・大便処理を行う場合、スラックスを脱ぐ必要があり面倒だという問題があった。もっとも、オストメイトの尿処理・大便処理は、スラックスを脱がずに下ろすだけでもできなくはないが、下ろすだけだと床にスラックスが接して汚れてしまう。そのため、オストメイトは、スラックスを脱がなければならなかった。
【０００６】
また、尿処理・大便処理を行うために、いちいちスラックスを脱ぐと時間がかかるという問題があった。スラックスが汚れないように便所のフックにかけたり、狭い荷物置き場に置いたりする作業も行わなければならないからである。従って、尿の場合、１０〜１５分、大便の場合、２０〜４０分もかかるという問題があった。そのため、集団行動に支障を来し、特に、ツアー旅行等には参加ができないという問題もあった。
【０００７】
本考案は、このような事情に鑑みてなされたものであり、その第一の目的は、スラックスを脱がないで尿処理・大便処理を行うことができるオストメイト用スラックスを提供することにある。第二の目的は、尿処理については、便用個室に入らなくても尿用便器で立ち小便の感覚で尿処理を可能とするオストメイト用スラックスを提供することにある。
【課題を解決するための手段】
【０００８】
上記課題を解決するために、本考案に係るオストメイト用スラックスは、オストメイトがウロストミーにウロストミー用パウチを取り付けた状態で着用するのに適したスラックスであって、前記スラックスを構成する部分のうち前記スラックスの着用時に前記ウロストミー用パウチに重なる部分に形成されたウロストミー用スリットと、前記ウロストミー用スリットを開閉自在に封止するウロストミー用スリット封止手段とを備えたことを要旨とするものである。
【０００９】
本考案に係るオストメイト用スラックスは、オストメイトがコロストミーにコロストミー用パウチを取り付けた状態で着用するのに適したスラックスであって、前記スラックスを構成する部分のうち前記スラックスの着用時に前記コロストミー用パウチに重なる部分に、前記スラックスのウエストベルトの分離部分から始まって下方に向かって形成されたコロストミー用スリットと、前記コロストミー用スリットを開閉自在に封止するコロストミー用スリット封止手段と、前記スラックスのウエストベルトの前身頃側の裏側に、前記コロストミー用スリットを跨いで取り付けられる、前記スラックスのずり落ちを防止するベルト状のスラックス支持手段とを備えたことを要旨とするものである。
【００１０】
本考案に係るオストメイト用スラックスは、オストメイトがイレオストミーにイレオストミー用パウチを取り付けた状態で着用するのに適したスラックスであって、前記スラックスを構成する部分のうち前記スラックスの着用時に前記イレオストミー用パウチに重なる部分に、前記スラックスのウエストベルトの分離部分から始まって下方に向かって形成されたイレオストミー用スリットと、前記イレオストミー用スリットを開閉自在に封止するイレオストミー用スリット封止手段と、前記スラックスのウエストベルトの前身頃側の裏側に、前記イレオストミー用スリットを跨いで取り付けられる、前記スラックスのずり落ちを防止するベルト状のスラックス支持手段とを備えたことを要旨とするものである。
【００１１】
本考案に係るオストメイト用スラックスは、オストメイトがウロストミーにウロストミー用パウチを取り付け、更に、コロストミーにコロストミー用パウチを取り付けた状態で着用するのに適したスラックスであって、前記スラックスを構成する部分のうち前記スラックスの着用時に前記ウロストミー用パウチに重なる部分に形成されたウロストミー用スリットと、前記ウロストミー用スリットを開閉自在に封止するウロストミー用スリット封止手段と、前記スラックスを構成する部分のうち前記スラックスの着用時に前記コロストミー用パウチに重なる部分に、前記スラックスのウエストベルトの分離部分から始まって下方に向かって形成されたコロストミー用スリットと、前記コロストミー用スリットを開閉自在に封止するコロストミー用スリット封止手段と、前記スラックスのウエストベルトの前身頃側の裏側に、前記コロストミー用スリットを跨いで取り付けられる、前記スラックスのずり落ちを防止する、ベルト状のスラックス支持手段とを備えたことを要旨とするものである。
【００１２】
上記の場合に、前記支持手段の少なくとも一の端部が脱着自在であるとよい。
【考案を実施するための最良の形態】
【００１３】
以下に図面を参照して本考案の一実施形態について説明する。
図１は、本発明の第一の実施形態に係るオストメイト用スラックス１の外観を示す。スラックス１は、オストメイトがウロストミー２にウロストミー用パウチ３を取り付けた状態で着用するのに適したスラックスであり、外出時等に外装用として着用するものである。スラックス１は、ウロストミー用スリット４と、ウロストミー用ファスナー５とを備える。
【００１４】
ウロストミー用スリット４は、ウロストミー用パウチ３に溜まった尿の処理を行うために、これを出し入れするための孔である。ウロストミー用スリット４は、スラックス１を構成する部分のうちスラックス１の着用時にウロストミー用パウチ３に重なる部分に形成されている。ウロストミー用スリット４は、オストメイトのウロストミー用パウチ３の取付位置によって任意に決めることができ、その形成位置は限定されるものではないが、ウエストベルト６の下側部から間隔Ｌ１（３〜２０ｃｍ）の位置からそのスリットが始まって下方に向かうスリットとすることができる。また、ウロストミー用スリット４の大きさもウロストミー用パウチ３の大きさに合わせて任意に決めることができ、その大きさは限定されるものではないが、長さＬ２（１０〜３０ｃｍ）とすることができる。
【００１５】
ウロストミー用ファスナー５は、ウロストミー用パウチ３やオストメイトの足Ｐ等を外から見えないようにウロストミー用スリット４を開閉自在に封止するものである。ウロストミー用ファスナー５は、下から上に向かって封止するものでも、下から上に向かって封止するものでもその向きは特に限定されるものではない。なお、ファスナー５に代えて、フックや掛けボタンにしてもよい。
【００１６】
次に、オストメイト用スラックス１の使い方について説明する。
オストメイトは、ウロストミー用パウチ３を自分のウロストミー２に取り付けて、図２に示す下半身下着７ａ（特許第３７５４４１１号に開示されたオストメイト用身体着のうち右側に袋部８があるもの）を身につけ、その袋部８にパウチ３を収納し、側縁９及び下縁１０をファスナー１１で閉じる。オストメイトは、その上から、オストメイト用スラックス１を着用する。すると、パウチ３と、袋部８と、ウロストミー用スリット４とが重なる。
時間が経ってウロストミー用パウチ３に尿が溜まると、オストメイトはトイレへ行って尿用便器の前に立つ。そして、ウロストミー用ファスナー５を開けて、続いて、ファスナー１１を開けて、ウロストミー用パウチ３を取り出す。次に、ウロストミー用パウチ３の先端の止め栓１２を外して、普通の立小便の感覚で溜まった尿を尿用便器に捨てる。捨てたあとは止め栓１２を閉じて（必要であれば、更に、ティッシュ等で拭き）、袋部８に収納し、側縁９及び下縁１０をファスナー１１で閉じ、最後にウロストミー用ファスナー５で閉じればよい。
【００１７】
従って、オストメイト用スラックス１を脱がなくても尿処理ができる。そのため、簡単に短時間に尿処理ができる。通常、これに要する時間は、３〜８分である。また、トイレ個室に入らなくても尿処理ができるため、トイレ個室待ちの状態を作らなくて済む。更に、通常の人と同じように立小便ができるので精神衛生上の効果もある。
【００１８】
図３は、本発明の第二の実施形態に係るオストメイト用スラックス２１の外観を示す。スラックス２１は、オストメイトがコロストミー２２にコロストミー用パウチ２３を取り付けた状態で着用するのに適したスラックスであり、外出時等に外装用として着用するものである。スラックス２１は、コロストミー用スリット２４と、コロストミー用ファスナー２５と、スラックス支持ベルト２６（図４参照）とを備える。
【００１９】
コロストミー用スリット２４は、コロストミー用パウチ２３に溜まった大便処理を行うために、これを出し入れするための開口Ｈ（図４参照）を形成するための切り込みである。コロストミー用スリット２４は、スラックス２１を構成する部分のうちスラックス２１の着用時にコロストミー用パウチ２３に重なる部分に、スラックスのウエストベルト２７に形成される当該ベルト２７の分離部分の下端部から始まって下方に向かって形成されている。従って、コロストミー用スリット２４を開くと、図４に示したように、三角形状の開口Ｈができる。コロストミー用スリット２４は、オストメイトのコロストミー用パウチ２３の取付位置によって任意に決めることができ、その形成位置は限定されるものではないが、実際には、スラックス２１の前身頃のいずれかの位置にコロストミー用スリット２４が形成される。
【００２０】
また、コロストミー用スリット２４は、ウエストベルト２７に形成される当該ベルト２７の分離部分に続いて下方に向けて形成される切り込みによって形成される。このように、結果的に切り込みがウエストベルト２７の一番上の部分から始まって下方に向けて形成される形態とされるのは、コロストミー用パウチ２３は大便が入っているため、単なるスリットではなく幅広の開口Ｈができるようにしておくためである。すなわち、大便処理は、尿処理よりも大変だから作業をしやすくするためである。コロストミー用スリット２４の大きさは、コロストミー用パウチ２３の大きさに合わせて任意に決めることができ、その大きさは限定されるものではないが、長さＬ３（２０〜４０ｃｍ）とすることが望ましい。
【００２１】
コロストミー用ファスナー２５は、コロストミー用パウチ２３やオストメイトの足Ｐ等を外から見えないようにコロストミー用スリット２４を開閉自在に封止するものである。コロストミー用ファスナー２５は、下から上に向かって封止するものでも、下から上に向かって封止するものでもその向きは特に限定されるものではない。なお、ファスナー２５に代えて、フックや掛けボタンにしてもよい。
【００２２】
スラックス支持ベルト２６は、大便処理に際して、コロストミー用スリット２４を開いたときにスラックス２１のずり落ちを防止するベルト状の布、ゴム紐等からなるものである。スラックス支持ベルト２６は、その取付位置は特に限定されないが、スラックス２１のウエストベルト２７の前身頃側の裏側（オストメイトの体側）に、コロストミー用スリット２４を跨いで取り付けるとよい。すなわち、スラックス支持ベルト２６の一端にフック２８が取り付けられた状態で、そのフック２８を留める留め金具（図４、取付位置Ｍ１付近参照）がコロストミー用スリット２４に対して一方の側のウエストベルト２７の取付位置Ｍ１に取り付けられた場合には、スラックス支持ベルト２６の他端が当該スリット２４に対して他方の側のウエストベルト２７の取付位置Ｍ２に縫いつけられればよい。かかる構成により、フック２８は、大便処理を行っているときは、取付位置Ｍ１に示した留め金具に引っかかって外れることがなく、よって、スラックス２１が大便処理の時にずり落ちることがない。一方、着替えのときは、フック２８をその留め金具から簡単に外すことができる。なお、フック２８を取り付けるスラックス支持ベルト２６の端部は、取付位置Ｍ１側でも取付位置Ｍ２側でもどちらでも良い。従って、フック２８を取り付けたのが取付位置Ｍ２側である場合には、取付位置Ｍ１側のスラックス支持ベルト２６の端部をウエストベルト２７の取付位置Ｍ１に縫いつければよい。
【００２３】
また、スラックス支持ベルト２６の両方の端部を着脱可能としてもよい。この場合、いずれか一方の端部は、フック２８のようにオストメイトが簡単に着脱できるものが好ましいが、それ以外の端部は、ウエストベルト２７にはボタンを取り付け、スラックス支持ベルト２６には、ボタンホールを設けて着脱可能とすることが好ましい。ボタンを取り付けた方はフックを取り付けた方に比べて簡単には外れないからである。従って、スラックス支持ベルト２６の両端をボタンにより留める構成としてもよい。なお、これは、スラックス支持ベルトの両端をフックにより留める構成とすることを妨げるものではない。
更に、スラックス支持ベルト２６の材質としてゴム製のものを用いる場合には、スラックス支持ベルト２６の両端はウエストベルト２７に縫いつけてもよい。大便処理をしているときは、ゴムが縮んでいて腹部に引っかかってスラックス２１がずり落ちないからである。一方で、着替えをするときは、ゴムを伸ばせば容易にスラックス２１を脱ぐことができるからである。
【００２４】
また、スラックス支持ベルト２６の長さは、特に限定されるものではないが、２０〜６０ｃｍが望ましい。コロストミー用スリット２４を開いたときにできる開口Ｈとしてコロストミー用パウチ２３を出し入れしやすい大きさとするためである。
【００２５】
さらに、スラックス支持ベルト２６は、ウエストベルト２７の端部３０を取付位置Ｍ２に到達できる程度に伸ばし、端部３０にフックやボタンを取り付け、これを、取付位置Ｍ２に形成されたフックやボタンを留める部分に留めることができるように構成してもよい。かかる構成によれば、ウエストベルト２７がスラックス支持ベルト２６を兼ねることができる。
【００２６】
次に、オストメイト用スラックス２１の使い方について説明する。
オストメイトは、コロストミー用パウチ２３を自分のコロストミー２２に取り付けて、図２に示す下半身下着７ｂ（特許第３７５４４１１号に開示されたオストメイト用身体着のうち左側に袋部８があるもの）を身につけ、その袋部８にパウチ２３を収納し、側縁９及び下縁１０をファスナー１１で閉じる。オストメイトは、その上から、オストメイト用スラックス２１を着用する。すると、パウチ２３と、袋部８と、コロストミー用スリット２４とが重なる。
時間が経ってコロストミー用パウチ２３に大便が溜まると、オストメイトはトイレへ行って便器又は大便処理槽の前に立つ。そして、コロストミー用ファスナー２５を開けて、続いて、ファスナー１１を開けて、コロストミー用パウチ２３を取り出す。次に、コロストミー用パウチ２３の先端の止め金２９を外して、大便を便器又は大便処理槽に捨てる。捨てたあとはパウチ２３やコロストミー２２及びその周辺の消毒や拭き取りを行う。その後、止め金２９を閉じて、袋部８に収納し、側縁９及び下縁１０をファスナー１１で閉じ、最後にコロストミー用ファスナー２５を閉じる。
【００２７】
従って、オストメイト用スラックス２１を脱がなくても大便処理ができる。そのため、従来に比べると比較的簡単に短時間に大便処理ができる。通常、これに要する時間は、１０〜１５分である。
【００２８】
以上本発明の一実施形態について説明したが、本考案は上記実施の形態に限定されるものではない。例えば、上記実施形態においては、ウロストミー及びコロストミーが取り付けられた場合を説明したが、イレオストミーが取り付けられた場合もその取付位置に合わせてスリットを設けたオストメイト用スラックスを製作することができる。
【産業上の利用可能性】
【００２９】
本考案は、オストメイトが便利な社会生活を営むために使用価値が高く、また、医療福祉関連製品の製造業や販売業においても将来的な利用価値が高い考案である。
【図面の簡単な説明】
【００３０】
【図１】同図（ａ）が本考案の一実施形態に係るオストメイト用スラックス１の外観を示した図であり、同図（ｂ）がスラックス１を着用した状態におけるオストメイト、身体用下着７ａ、パウチ３及びスラックス１の位置関係を表した図である。
【図２】同図（ａ）がオストメイト用スラックス１の身体用下着７ａの一例を示した図であり、同図（ｂ）がオストメイト用スラックス２１の身体用下着７ｂの一例を示した図である。
【図３】同図（ａ）が本考案の一実施形態に係るオストメイト用スラックス２１の外観を示した図であり、同図（ｂ）がスラックス２１を着用した状態におけるオストメイト、身体用下着７ｂ、パウチ２３及びスラックス２１の位置関係を表した図である。
【図４】同図（ａ）がオストメイト用スラックス２１のスラックス支持ベルト２６の取り付け状態をオストメイト、身体用下着７ｂ、パウチ２３及びスラックス２１の位置関係とともに表した図であり、同図（ｂ）がベルト２６の取付部分を拡大して示した図である。
【符号の説明】
【００３１】
１  オストメイト用スラックス
２  ウロストミー
３  ウロストミー用パウチ
４  ウロストミー用スリット
５  ウロストミー用ファスナー
６  ウエストベルト
７ａ、７ｂ  下半身下着
１  袋部
２  側縁
１０  下縁
１１  ファスナー
１２  止め栓
２１  オストメイト用スラックス
２２  コロストミー
２３  コロストミー用パウチ
２４  コロストミー用スリット
２５  コロストミー用ファスナー
２６  スラックス支持ベルト
２７  ウエストベルト
２８  フック
２９  止め金
３０  端部
Ｈ  開口
Ｍ１，Ｍ２  取付位置
【図１】
0003127215.tif 000003
【図２】
0003127215.tif 000004
【図３】
0003127215.tif 000005
【図４】
0003127215.tif 000006